(57)【特許請求の範囲】
【請求項１】
顔の油分を吸着しうる薄手の和紙の紙層の裏面側にアンダーコート層及び着色層を介して汗を吸収しうる吸汗シートが設けられ、且つ前記アンダーコート層は、前記油分又は汗分の浸透を阻止し、前記紙層と前記アンダーコート層とは、前記着色層の色を前記紙層の表面側に現出させるように構成されてなることを特徴とする化粧紙。
【請求項２】
前記アンダーコート層が、変性アイオノマー樹脂である請求項１に記載の化粧紙。
【請求項３】
前記紙層に竹の炭が含有されている請求項１又は２に記載の化粧紙。
【請求項４】
前記紙層にクマザサが含有されている請求項１乃至３のいずれかに記載の化粧紙。
【発明の詳細な説明】
【０００１】
【発明の属する技術分野】
本発明は、化粧紙とその製造方法、さらに詳しくは、油取り紙、汗取り紙、口紅押え紙、化粧料を除去する紙等に使用される化粧紙とその製造方法に関する。
【０００２】
【従来の技術】
従来より、この種の化粧紙としては、油取り紙、汗取り紙、口紅押え紙等、種々のものが開発され、市販されている。
【０００３】
【発明が解決しようとする課題】
しかし、現在市販されている化粧紙は、たとえば油取り紙であれば顔の油脂分を吸着除去し、汗取り紙であれば汗を吸着除去し、口紅押え紙であれば口紅を付着して除去する等、その機能は各用途に応じて限定されているのが実情である。
【０００４】
本発明は、このような点に鑑みてなされたもので、油取り紙、汗取り紙、口紅押え紙、化粧料を除去する紙等の各種の機能を併有しうるような全く新規な化粧紙を提供することを課題とするものである。
【０００５】
【課題を解決するための手段】
本発明は、このような課題を解決するために、化粧紙とその製造方法としてなされたもので、化粧紙としての特徴は、油分を吸着しうる紙層１の裏面側にアンダーコート層２を介して汗を吸収しうる吸汗シート５が設けられ、且つ該アンダーコート層２は、前記油分又は汗分の浸透を阻止するように構成されてなることにある。
【０００６】
また、他の化粧紙としての特徴は、油分を吸着しうる紙層１の裏面側にアンダーコート層２を介して化粧料を付着させうる化粧料付着シート７が設けられ、且つ該アンダーコート層２は、前記油分の浸透を阻止するように構成されてなることにある。
【０００７】
アンダーコート層２と、吸汗シート５又は化粧料付着シート７との間には、着色層３を介装することが可能である。
【０００８】
また、着色層３と吸汗シート５又は化粧料付着シート７との間には、接着層４を介装することが可能である。
【０００９】
紙層１とアンダーコート層２とは、前記着色層３の色を前記紙層１の表面側に現出させるように構成されていることが好ましい。
【００１０】
紙層１の紙としては、たとえば和紙が用いられる。
【００１１】
またアンダーコート層２の材料としては、たとえば変性アイオノマー樹脂が使用される。
【００１２】
紙層１には、竹の炭やクマザサを含有させることが可能である。
【００１３】
炭としては、竹の炭の他、笹炭や備長炭、さらにはヒノキの木炭等を使用することも可能である。
【００１４】
炭を使用する場合は、主として粉末状のものが用いられる。
【００１５】
たとえば竹の炭の粉末は、竹を乾留し、これを粉状にすることによって得られるもので、得られた粉体の粒子は、一般の多孔性物質に比べても著しく空隙が多い多孔質物質である。
【００１６】
ちなみに、このような竹の炭の粉末は、１cm3あたり表面積が20アールにもなり、一般に多孔性物質として知られている木炭が１cm3あたりの表面積10アールであることに比べると、約２倍の表面積を有し、これが優れた油分の吸着効果の要因となっている。
【００１７】
竹の乾留は、たとえば高圧蒸気釜によってケージ圧３気圧、100 ℃〜150 ℃、20〜30分の条件下で行う。
【００１８】
さらに、化粧紙の製造方法としての特徴は、油分を吸着しうる紙層１の裏面側にアンダーコート層２を塗着し、乾燥した後、該アンダーコート層２の裏面側に着色層３を設け、乾燥した後、接着層４を介して吸汗シート５又は化粧料付着シート７を設けて製造することにある。
【００１９】
【発明の実施の形態】
以下、本発明の実施形態について説明する。
【００２０】
図１において、１は紙層で、麻100 ％の純粋の和紙で構成されている。この和紙は、薄手のものである。
【００２１】
この紙層１には、竹の炭の粉末及びクマザサの抽出液が含有されている。
【００２２】
２は、前記紙層１の裏面側に設けられたアンダーコート層で、変成アイオノマー樹脂で構成されている。
【００２３】
この変成アイオノマー樹脂としては、ケミパールＳ120 （商品名，三井石油化学工業株式会社製）が用いられている。
【００２４】
３は、前記アンダーコート層２の裏面側に設けられた着色層で、顔料で構成されている。
【００２５】
４は、該着色層３の裏面側に設けられた接着層で、ポリエーテル樹脂で構成されている。
【００２６】
このポリエーテル樹脂としては、タケラックＡ−969 Ｖ（商品名，武田薬品工業株式会社製）が用いられている。
【００２７】
５は、前記接着層４の裏面側に設けられた吸汗シート層で、不織布で構成されている。
【００２８】
以上のような紙層１、アンダーコート層２、着色層３、接着層４、及び吸汗シート層５で、化粧紙６が構成されている。
【００２９】
そして、このような化粧紙６を使用する場合には、表面側の紙層１を顔（鼻の部分等）に付着させることによって、油取り紙として使用することができる。
【００３０】
この場合において、紙層１の裏面側にはアンダーコート層２を介して着色層３が設けられているため、その着色層３の色が表面に現出されることとなる。
【００３１】
すなわち、紙層１を構成する和紙が薄手のものであり、またアンダーコート層２が透明な樹脂であるため、着色層３の色が表面に透視可能となるのである。
る。
【００３２】
特に、油分が紙層２に吸着されることによって、紙層２の透明度を高めているとともに、アンダーコート層２によって着色層３の色がより鮮やかに現出されることとなるのである。
【００３３】
また、アンダーコート層２が存在することによって、裏面の吸汗シート層５側に油分が浸透することもない。
【００３４】
このように、表面側の紙層１で油分を吸着させることによって、油取り紙として使用することが可能となるのである。
【００３５】
一方、裏面側の吸汗シート５では、汗分を吸収させる。
【００３６】
すなわち、吸汗シート５を顔の額や頬の部分に付着させることで、汗が吸汗シート５に好適に吸着されることとなるのである。
【００３７】
次に、このような化粧紙を製造する製造方法の実施例について説明する。
【００３８】
先ず、麻100 ％の純粋の和紙からなる薄手の紙層１を準備する。
【００３９】
この紙層１を製造する際に、すき込みや練り込み等によって竹の炭の粉末やクマザサの抽出液を含有させる。
【００４０】
次に、紙層１の裏面側に変成アイオノマー樹脂を塗着した後、直ちに乾燥してアンダーコート層２を形成する。
【００４１】
次に、アンダーコート層２の裏面側に顔料を塗布した後、乾燥して着色層３を形成する。
【００４２】
次に、着色層３の裏面側にポリエーテル樹脂を塗着するとともに、そのポリエーテル樹脂を介して不織布を貼着する。
【００４３】
これによって、ポリエーテル樹脂からなる接着層４を介して不織布からなる吸汗シート層５が形成されることとなる。
【００４４】
このようにして、化粧紙６が製造されることとなるのである。
【００４５】
尚、上記実施形態では、紙層１を構成する紙として、麻100 ％からなる和紙を用いたが、紙層１を構成する紙の種類はこれに限定されるものではない。
【００４６】
ただし、油分の吸着効果を良好にし、且つ着色層３の色を透視可能として表面に現出させる効果を良好とするためには、上記実施形態のような薄手の和紙を使用するのが好ましい。
【００４７】
さらに、上記実施形態では、アンダーコート層２として、ケミパールＳ120 を用いたが、これ以外の変成アイオノマー樹脂を使用することも可能であり、また変成アイオノマー樹脂以外の樹脂を使用することも可能である。
【００４８】
さらに、上記実施形態では、着色層３を顔料で構成したが、顔料以外のもので着色料を構成することも可能である。
【００４９】
さらに、上記実施形態では、接着層４としてタケラックＡ−969 Ｖ（商品名，武田薬品工業株式会社製）が用いたが、これに限らずタケネートＡ−５（商品名，武田薬品工業株式会社製）を使用することも可能であり、さらには、これらのもの以外のポリエーテル樹脂を使用することも可能である。
【００５０】
またポリエーテル樹脂以外の樹脂を使用することも可能である。
【００５１】
さらに、上記実施形態では、吸汗シート層５を不織布で構成したが、不織布以外の素材のもの、たとえば和紙を吸汗シート層５として使用することも可能である。
【００５２】
さらに、吸汗シート層５に代えて、図２に示すように、口紅押さえ紙や、おしろいやファンデーション等の化粧料を付着して除去するための化粧料付着シート層７を形成することも可能である。
【００５３】
この場合の化粧料付着シート層の素材も限定されるものではないが、不織布の他、綿や絹等を使用するのが好ましい。
【００５４】
さらに、上記実施形態では、紙層１に竹の炭の粉を含有させたが、竹の炭以外に、たとえば笹炭や備長炭、さらにはヒノキの木炭等を使用することも可能である。
【００５５】
さらに、上記実施形態では、紙層１に竹の炭の粉を含有させたため、油分等の吸着効果が一層良好になるという好ましい効果が得られたが、このような竹等の炭を含有させることは、本発明に必須の条件ではない。
【００５６】
同様に、熊笹を紙層１に含有させることも本発明に必須の条件ではない。
【００５７】
【発明の効果】
叙上のように、本発明は、油分を吸着しうる紙層の裏面側にアンダーコート層を介して汗を吸収しうる吸汗シート、又は化粧料を付着させうる化粧料付着シートが設けられてなるため、１つのシート状物で、油取り紙と汗取り紙とを兼用しうるようなもの、或いは油取り紙と化粧紙とを兼用しうるようなものを提供することが可能となった。
【００５８】
、また、紙層の裏面側にアンダーコート層が設けられているため、そのアンダーコート層によって、紙層で吸収された油分が吸汗シートや化粧料付着シート側へ浸透することがなく、また吸汗シートで吸収された汗分が紙層側へ浸透することもないのである。
【００５９】
さらに、アンダーコート層と、吸汗シート又は化粧料付着シートとの間に着色層を介装し、紙層とアンダーコート層とが、着色層の色を紙層の表面側に現出させるように構成した場合には、油分の吸着が紙層に鮮明に現出されるため、油分の吸着を容易に判別しうる従来にない油取り紙を提供できるという効果がある。
【００６０】
さらに、着色層と吸汗シート又は化粧料付着シートとの間に接着層を介装した場合には、油分や汗分の浸透を一層確実に防止できるという利点がある。
【００６１】
さらに、本発明の化粧紙の製造方法においては、油分を吸着しうる紙層の裏面側にアンダーコート層を塗着し、乾燥した後、該アンダーコート層の裏面側に着色層を設け、乾燥した後、接着層を介して吸汗シート又は化粧料付着シートを設けて製造するため、すなわちアンダーコート層や着色層の塗着後にただちに乾燥させるために、紙層の表面側に水分等が滲み上がることもないのである。
【図面の簡単な説明】
【図１】一実施形態の化粧紙の要部拡大断面図。
【図２】他の実施形態の化粧紙の要部拡大断面図。
【符号の説明】
１…紙層        ２…アンダーコート層
３…着色層      ４…接着層
５…吸汗シート  ７…化粧料付着シート
【図１】
0004446411.tif 000002
【図２】
0004446411.tif 000003